【事件の表示】
　平成　９年特許願第２３７５４１号「光学式位置検出装置付き情報表示装置」拒絶査定不服審判事件〔平成１１年　３月３０日出願公開、特開平１１−　８５３７７〕について、次のとおり審決する。
【結　論】
　本件審判の請求は、成り立たない。
【理　由】
１．手続の経緯・本願発明
　本願は、平成９年９月２日の出願であって、平成１５年４月１０日付けで拒絶査定がなされ、これに対し、平成１５年５月１５日に拒絶査定に対する審判請求がなされたものである。
　本願の請求項１に係る発明は、明細書及び図面の記載からみて、その特許請求の範囲の請求項１に記載された次のとおりのものと認める。（以下、「本願発明」という。）
「表示画面上に情報を表示する表示装置と、その表示画面周辺に配置され前記表示画面上の所定領域に指示物で指示された位置と指示物の大きさを光学的に検出する指示物検出装置と、該指示物検出装置による検出結果に従って前記表示装置の画面に画像を表示する表示制御手段とを備えた光学式位置検出装置付き情報表示装置において、
　前記指示物検出装置は、
　前記所定領域の外側に設けた光再帰性反射手段と、
　前記領域と実質的に平行である面内で光を角的に走査する光走査手段、及び光によって照射された部分の前記光再帰性反射手段による反射光を受光する受光手段を有する少なくとも２組の光送受手段と、
　前記各光走査手段での走査角度及び前記各受光手段での受光結果に基づいて、前記指示物にて形成される前記領域での走査光の遮断範囲を計測する計測手段と、
　該計測手段による計測結果に基づいて前記指示物の位置と大きさを算出する算出手段とを有し、
　前記表示制御手段は、前記指示物検出装置が検出した前記指示物の位置及び／又は大きさに対応して前記表示装置の表示画面上において画像表示方法を異ならせるべくなしてあることを特徴とする光学式位置検出装置付き情報表示装置。」
　
２．引用例
　原査定の拒絶の理由に引用された特開平１−１１２３２１号公報（以下、引用例１という。）には、図面とともに、次の記載がある。
「２．特許請求の範囲
　平面部材と、
該平面部材を押圧することにより太さが可変可能な先端を有する指示部材と、
前記平面部材の異なる座標軸上に設けられ、光を発光する発光手段と、
該発光手段に対向して設けられ、前記指示部材が遮光しない前記発光手段からの前記光を受光する受光手段と、
該受光手段の出力結果に基づいて、前記指示部材の位置情報を検出する検出手段とを具えたことを特徴とする画像検知装置。」（第１頁左下欄第４行−第１５行）
　
「［実施例］
　以下、図面を参照して本発明の実施例を詳細に説明する。
　第１図に、本発明の一実施例である画像検知装置の概略構成例を示す。以下において同一部分については同一符号を付す。１Ａおよび１Ｂは、それぞれたとえば赤外線等の光を出射するＸ軸発光ＬＥＤおよびＹ軸発光ＬＥＤ、２Ａおよび２ＢはＸ軸発光ＬＥＤ　１ＡおよびＹ軸発光ＬＥＤ　１Ｂの光を受光するＸ軸受光センサおよびＹ軸受光センサである。３は絶縁体、４はＣＰＵ、５は書き込み時の圧力によって太さが可変可能なように構成された先端を有する入力装置である。すなわち、書き込み時に圧力が加われば入力装置５の先端が太くなり、圧力が弱ければ入力装置の先端が細くなる。このような入力装置の具体例としては、毛筆状の入力装置が考えられる。この入力装置の絶縁体３面上を押圧した時の接触面積をＳとする。
　以上のような構成において、Ｘ軸発光ＬＥＤ　１ＡおよびＹ軸発光ＬＥＤ　１Ｂを出射した光は、入力装置５によってさえぎられるか、またはさえぎられずに通過する。入力装置５による遮光、または光の通過に対応して、Ｘ軸受光センサ２ＡおよびＹ軸受光センサ２Ｂが光信号を検知する。Ｘ軸受光センサ２ＡおよびＹ軸受光センサ２Ｂは、光信号を電気信号に変換して、電気信号をＣＰＵ４に送信する。ＣＰＵ４において、その電気信号が解析され、後述する位置情報および接触面積Ｓに対応した面積情報を求める。
　第２図は、発光ＬＥＤ　１Ａおよび１Ｂからの光が、遮光される状況を示す説明図である。
　Ｘ軸発光ＬＥＤ　１ＡおよびＹ軸発光ＬＥＤ　１Ｂからの光は、第２図に不図示の入力装置５により遮光され、Ｘ軸受光センサ２ＡおよびＹ軸受光センサ２Ｂに遮光部ができる。Ｘ軸およびＹ軸の遮光部の長さＸＬおよびＹＬは、それぞれＸ軸受光センサ２ＡおよびＹ軸受光センサ２Ｂが検知する光信号をＣＰＵ５が解析して求めたＸ軸座標ＸＬＳとＸＬＥとの差およびＹ軸座標ＹＬＳとＹＬＥとの差より求めることができる。
　第３図に、画像検知タブレットの画像表示の基本構成例を示す。６は入力装置５により入力された座標入力の各座標値に対してＲ，Ｇ，Ｂの色情報を設定する色設定スイッチ、７は色設定スイッチ６からＣＰＵ４が読み出したＲ，Ｇ，Ｂの色情報を格納するＲＧＢメモリである。
　８はＲＧＢメモリ６に格納された色情報と、Ｘ釉およびＹ軸受光センサ２Ａおよび２Ｂからの光信号をＣＰＵ４が解析して、入力装置５の位置座標を求め位置情報とを、Ｄ／Ａコンバータ（不図示）をへて、出力されたアナログ信号を合成表示するモニタである。
　以上のような構成において、まずＸ軸受光センサ２ＡおよびＹ軸受光センサ２Ｂからの光信号をＣＰＵ４が解析して入力装置５の位置情報を求める。このようにして得られた位置情報と、あらかじめ設定された色設定スイッチ６からＣＰＵ４が読み出した色情報とを、ＲＧＢメモリ７に格納する。格納された位置情報と色情報はモニタ８上に合成表示される。」（第２頁左下欄第１行−第３頁左上欄第２０行）
　
「第４図（Ａ）および（Ｂ）は、画像検知タブレットの制御手順（プログラム）およびサブルーチンプログラムを示すフローチャートである。
　まず、ステップＳｌにおいて、ＲＧＢメモリ７をクリアし、初期状態から始める。ステップＳ２において、入力装置５の座標入力のＯＮかＯＦかを検知する。
　ステップＳ３において、座標入力が複数個所からの座標入力か否かを判断する。
　ステップＳ３において、複数個所からの座標入力であれば入力に雑音があるものと判断し、１個所からの座標入力になるまでデータは書き込まれない。ステップＳ３において複数の座標入力でないと判断したならば、位置座標の読み取り動作を開始する。
　第２図に示したように、Ｘ方向の遮光長ＸＬ、Ｙ方向の遮光長ＹＬをある時間間隔毎に読み取る（ステップＳ４およびステップＳ５）。ＸＬ、ＹＬの求め方については、第２図の説明の中で述べたので、ここでは省略する。一定時間ごとにＸＬの中央座標値ＸＣを求め（ステップＳ６）、およびＹＬの中央座標値ＹＣを求める（ステップＳ７）。予めＸＬ、ＹＬを読み取るときにＸＬ＝ＹＬならば、入力装置５の接触面積Ｓの形状を円とみなし、ＸＬ≠ＹＬならば入力装置の接触面積Ｓの形状を楕円とみなして、入力装置５の先が走査する軌跡情報をモニタ８上に表示させるようにＣＰＵ４へデータを送信する。
　ＣＰＵ４は、予め前表に示したように色設定スイッチ６により位置情報をＫ、Ｂ、Ｇ、Ｒ，Ｃ，Ｍ，ＹおよびＷの８色から選択しているので、位置情報と色情報とをＲＧＢメモリ７に送信する。ＲＧＢメモリ７は、“１”か“０”かを選択して、円もしくは楕円内をぬりつぶして色表示を行なうと同時に、Ｘ軸の遮光表ＸＬおよびＹ軸の遮光長ＹＬから円または楕円の面積を求める（ステップＳ８〜ステツプＳ１３）。
　所定の色でモニタ上に軌跡が表示されたならば、ＲＧＢメモリ７を全面クリアするか否かを判断する（ステップＳ１４）。全面クリアならばステップＳ１に戻る。全面クリアしなければ、入力を終了するか否かを判断する（ステップＳ１５）。入力が終了しないならばステップＳ２に戻り座標入力を開始する。
　以上のような操作の中では、ぬりつぶしの時に、一定時間ごとに中心を求めて、入力装置の接触面積に対応して円または楕円内を随時ぬりつぶしている。従って、追従速度によっては、円または楕円との間があきすぎてしまって、当然間隔が一定にならずかつ不連続となり任意線を書き込むことにはならない。そのことを補正するための処理を連続的に行なう必要がある。
　第５図は描線ぬりつぶしの動作を示す説明図である。第５図は追従速度が追いつかないで、２つの中心（Ｘｃ、Ｙｃ）、（Ｘｂｃ、Ｙｂｃ）の円に分離して描画のぬりつぶしがあいた時には、（Ｘｃ、Ｙｓ）と（Ｘｂｃ、Ｙｂｓ）との点を結び、かつ（Ｘｃ、ＹＥ）と（Ｙｂｃ、ＹｂＥ）との点を結び、２本の線の結んだ線中のデータを円または楕円と同様にぬりつぶしを行なう。
　以上述べた画像検知タブレットは、マン・マシン・インタフェース装置として有効な座標入力装置や座標読取り装置に適用される。」（第３頁右上欄下から第９行−第４頁左上欄第１４行）
　
　これらの記載からすると、引用例１には、
「モニタと、平面部材と、該平面部材を押圧する入力装置と、Ｘ軸発光ＬＥＤ及びＹ軸発光ＬＥＤと、Ｘ軸受光センサ及びＹ軸受光センサを設けた画像検知装置と、ＣＰＵとを備えた画像表示装置であって、
　画像検知装置のＸ軸受光センサとＹ軸受光センサからの信号をＣＰＵが解析することにより、入力装置の位置情報と接触面積を求め、入力装置の位置情報と接触面積に対応して入出力装置の軌跡情報をモニタ上に表示させる画像表示装置。」（以下、「引用例１発明」という。）が開示されているものと認められる。
　
　また、原査定の拒絶の理由に引用された特開平１−２６８２２４号公報（以下、引用例２という。）には、図面とともに、次の記載がある。
　
「〔実施例〕
　以下、第１図により本発明の座標入力装置をタッチパネル装置に適用した場合を説明する。
　第１図でＣＲＴ（９）の前面に設けられた枠体（以下ベズルと記す）はＣＲＴ（９）のフェース面即ち、座標面（３７）の上下左右の四辺を囲繞する様に配設される。このベズル（２４）の内周の右側内面（２４Ｒ）と上側内面（２４Ｕ）に光回帰性反射体（３６）を形成する。この光回帰性反射体（３６）は例えは、第２図に示す様に直径が７０μ程度の球レンズからなるガラス或いはアクリル製の透明微細球（４０）をベズル（２４）の右側内面（２４Ｒ）と上側内面（２４Ｕ）上に塗布した透明接着層（３８）に一様に接着させたもので、どららの方向から入射した光ビーム（３９）も入射方向に略反射されることになる。
　本例の座標入力装置のベズル（２４）の下部隅部には走査型光送受器（３５ａ）、（３５ｂ）が配設されている。第１図示の例では可動ミラー（２５ａ）、（２５ｂ）が置かれている。可動ミラー（２５ａ）、（２５ｂ）の代わりにポリゴンミラー等を配することも出来る。可動ミラー（２５ａ）、（２５ｂ）は例えばファイバオプテックス（２６ａ）、（２６ｂ）を介してレーザダイオード、或いはＬＥＤ（２８ａ）、（２８ｂ）に結合され、これら発光素子から発光された光ビーム（３９）は可動ミラー（２５ａ）、（２５ｂ）で反射され、ベズル（２４）の右側内面（２４Ｒ）及び上側内面（２４Ｕ）の面内を角度θａ、θｂで走査する。
　この様に光ビーム（３９）を走査するために可動される可動ミラー（２５ａ）、（２５ｂ）はクロック発生回路（３３）からのクロック信号に基づき、ミラー制御回路（３２）で制御され、ベズル（２４）の左右下端に設けた可動ミラー（２５ａ）、（２５ｂ）を同期駆動させる。発光素子（２８ａ）、（２８ｂ）から光回帰性反射体（３６）に達した光ビーム（３９）は第２図に示した様に反射されて可動ミラー（２５ａ）、（２５ｂ）位置に達するが、ＣＲＴ（９）の座標面（３７）に座標入力のために指等をタッチさせると、光ビームは遮断されて光回帰性反射体（３６）に到達しないために光ビーム（３９）はインターラプトされる。光回帰性反射体（３６）で反射されたか、インターラプトされたかを可動ミラー（２５ａ）、（２５ｂ）に結合されたファイバオプテックス（２６ａ）、（２６ｂ）を介してホトダイオード或いはホトトランジスタ等から成る受光素子（２７ａ）、（２７ｂ）に送光し、受光出力を増幅回路（３０ａ）、（３０ｂ）で増幅後に座標変換回路（３１ａ）、（３１ｂ）で座標軸に変換し、インターラプトされた座標の演算を演算回路（３４）で行うことでフェース面（３７）の指示点のＸ及びＹ座標を求めることが出来る。尚（２９ａ）、（２９ｂ）は発光素子（２８ａ）、（２８ｂ）を発光制御させる制御回路であり、増幅回路（３０ａ）、（３０ｂ）はミラー制御回路（３２）により制御されている。又、Ｘ及びＹの座標は走査角θａ、θｂのｔａｎの関数として求めることが出来る。」
（第３頁左下欄第７行−第４頁左上欄第１９行）
　
　引用例２の座標入力装置は、ＣＲＴの前面に設けられた枠体に配置されており、ＣＲＴの前面は表示画面であることは自明であるから、引用例２は、ＣＲＴの表示画面周辺に配置された座標入力装置を備えた座標入力装置付きＣＲＴであると言える。
　引用例２の第１図の記載からすると、可動ミラー等により光が走査される面と座標面とが実質的に平行であるものと認められる。
　また、引用例２において、走査光がインターラプトされた座標の演算は、走査光の走査角度及び受光素子の受光結果に基づいて行われ、指等にて形成される座標面での走査光のインターラプトを計測することにより行われることは当業者に自明のことである。
　
　したがって、引用例２には、
「ＣＲＴと、その表示画面周辺に配置され前記表示画面上の座標面に指等で指示された位置を光学的に検出する座標入力装置とを備えた座標入力装置付きＣＲＴにおいて、
　前記座標入力装置は、
　前記座標面の外側に設けた光回帰性反射体と、
　前記座標面と実質的に平行である面内で光を角的に走査する可動ミラー等の光走査手段、及び光によって照射された部分の前記光回帰性反射体による反射光を受光する受光素子を有する２組の走査型光送受器と、光走査手段での走査光の走査角度及び受光素子の受光結果に基づいて行われ、指等にて形成される座標面での走査光のインターラプトを計測することによりインターラプトされた座標の演算を行う座標入力装置付きＣＲＴ。」（以下、「引用例２発明」という。）が開示されているものと認められる。
　　
３．対比
　そこで、本願発明と引用例１発明とを比較すると、引用例１発明における「モニタ」、「押圧」、「入力装置」、「画像検知装置」、「画像表示装置」及び「入力装置の位置情報と接触面積」は、それぞれ本願発明の「表示装置」、「指示」、「指示物」、「指示物検出装置」、「情報表示装置」及び「指示物で指示された位置と指示物の大きさ」に相当する。
　引用例１発明の表示装置（モニタ）が表示画面上に情報を表示するものであることは当業者に自明である。
　引用例１発明において、指示物（入力装置）が指示されたことを検知可能な平面部材の表面の領域を「所定領域」と呼ぶことにする。
　引用例１発明は、指示物（入力装置）の軌跡情報を表示装置（モニタ）に表示するものであるから、引用例１発明が表示制御手段を有することは自明である。
　引用例１発明は、Ｘ軸受光センサとＹ軸受光センサからの信号をＣＰＵが解析することにより、指示物で指示された位置と指示物の大きさを求めるものであるから、「計測手段による計測結果に基づいて指示物の位置と大きさを算出する算出手段」を有するものであると言える。
　引用例１発明の指示物検出装置（画像検知装置）は、光学的に位置を検出するものであるから、「光学的位置検出装置」に相当する。
　また、本願明細書の【０００７】には、「本発明はこのような事情に鑑みてなされたものであり、光学式位置検出装置により検出した指示物の大きさに対応して種々の描画を表示画面上に行なえることが可能・・・な光学式位置検出装置付き情報表示装置の提供を目的とする。」と記載されており、【００３６】には、「この図３のグラフに示されているように、本発明装置では、指示物Ｓの太さとそれに対応して表示画面１０上に表示される画像（点，線）の大きさ、太さが比例するように構成されている。」と記載されていることからすると、引用例１発明の「入力装置の位置情報と接触面積に対応して入出力装置の軌跡情報をモニタ上に表示させる」ことは、本願発明の「前記指示物の位置及び／又は大きさに対応して前記表示装置の表示画面上において画像表示方法を異ならせる」ことに相当するものと認められる。
　
　したがって、両者は
「表示画面上に情報を表示する表示装置と、所定領域に指示物で指示された位置と指示物の大きさを光学的に検出する指示物検出装置と、該指示物検出装置による検出結果に従って前記表示装置の画面に画像を表示する表示制御手段とを備えた情報表示装置において、
　前記指示物検出装置は、
　計測手段による計測結果に基づいて前記指示物の位置と大きさを算出する算出手段とを有し、
　前記表示制御手段は、前記指示物検出装置が検出した前記指示物の位置及び／又は大きさに対応して前記表示装置の表示画面上において画像表示方法を異ならせるべくなしてあることを特徴とする光学式位置検出装置を備えた情報表示装置。」
の点で一致し、以下の点で相違している。
　　
［相違点１］
　本願発明では、指示物検出装置を表示装置の表示画面周辺に配置することにより光学的位置検出装置付き情報表示装置を構成しているのに対し、引用例１発明では、指示物検出装置は表示装置の表示画面周辺に配置されていない点。
　
［相違点２］
　本願発明の指示物検出装置は、「前記所定領域の外側に設けた光再帰性反射手段と、前記領域と実質的に平行である面内で光を角的に走査する光走査手段、及び光によって照射された部分の前記光再帰性反射手段による反射光を受光する受光手段を有する少なくとも２組の光送受手段と、前記各光走査手段での走査角度及び前記各受光手段での受光結果に基づいて、前記指示物にて形成される前記領域での走査光の遮断範囲を計測する計測手段」を有するものであるのに対し、引用例１発明の指示物検出装置は、Ｘ軸発光ＬＥＤ及びＹ軸発光ＬＥＤと、Ｘ軸受光センサ及びＹ軸受光センサを設けた画像検知装置と、ＣＰＵと、モニタとを備えた画像表示装置であって、画像検知装置のＸ軸受光センサとＹ軸受光センサからの信号をＣＰＵが解析するものである点。
　　
４．当審の判断
［相違点１］及び［相違点２］について
　引用例２発明における「ＣＲＴ」、「座標面」、「指等」、「座標入力装置」、「光回帰性反射体」、「受光素子」、「走査型光送受器」及び「インターラプト」は、それぞれ本願発明の「表示装置」、「（所定）領域」、「指示物」、「指示物検出装置」、「光回帰性反射手段」、「受光手段」、「光送受手段」及び「遮断」に相当する。
　引用例２発明を本願発明の用語で記載すると、
「表示装置と、その表示画面周辺に配置され前記表示画面上の所定領域に指示物で指示された位置を光学的に検出する指示物検出装置とを備えた光学式位置検出装置付き表示装置において、
　前記指示物検出装置は、
　前記所定領域の外側に設けた光再帰性反射手段と、
　前記領域と実質的に平行である面内で光を角的に走査する光走査手段、及び光によって照射された部分の前記光再帰性反射手段による反射光を受光する受光手段を有する２組の光送受手段と、
　前記各光走査手段での走査角度及び前記各受光手段での受光結果に基づいて、前記指示物にて形成される前記領域での走査光の遮断を計測する計測手段と、
　該計測手段による計測結果に基づいて前記指示物の位置を算出する算出手段とを有する光学式位置検出装置付き表示装置。」と表現される。
　
　引用例１発明の指示物検出装置と引用例２発明の指示物検出装置は、光学的に指示物の位置を検出するという基本的構成において一致しており、位置検出装置として引用例１発明の指示物検出装置を用いる代わりに、引用例２発明の指示物検出装置を用いることに困難性は認められず、引用例２発明は指示物検出装置を表示装置の表示画面周辺に配置した光学的位置検出装置付き表示装置であるから、相違点１に係る構成は、引用例１発明において、その指示物検出装置に引用例２発明の指示物検出装置を用いることにより容易に想到し得たものである。
　
　また、引用例１発明は、指示物の位置とともに指示物の大きさを光学的に検出するものであるのに対して、引用例２発明は指示物の位置を光学的に検出するものであるが、引用例２発明は走査光の遮断される走査角を測定するものであることから、指示物が所定の大きさを有するものであれば、走査光の遮断が所定の走査角の遮断範囲を生ずることは当然のことであり、その場合、走査角の遮断範囲が引用例２発明の指示物検出装置の構成により計測されることは当業者に自明の事項である。
　引用例２発明の指示物検出装置を引用例１発明の指示物検出装置に代えて用いる場合に、走査角の遮断範囲を測定したとき、引用例１発明と同様に指示物の位置とともに指示物の大きさを検出するように算出手段を構成することに格別の困難性は認められないから、相違点２に係る構成は、相違点１に係る構成と同様に引用例１発明において、その指示物検出装置に引用例２発明の指示物検出装置を用いることにより容易に想到し得たものである。
　　　
　そして、本願発明の作用効果も、引用例１発明及び引用例２発明から当業者が予測できる範囲のものである。
　
５．むすび
　以上のとおり、本願発明は、引用例１発明及び引用例２発明に基づいて、当業者が容易に発明をすることができたものであるから、特許法第２９条第２項の規定により特許を受けることができない。
　よって、結論のとおり審決する。